(57)【要約】【課題】遅延装置への最適な遅延時間の設定を容易に、また短時間に行うことができるようにしたデジタル無線システムを提供する。【解決手段】予め建物内の所定のポイントに複数台の各デジタル携帯無線機１３を分散して配置し、このデジタル携帯無線機１３には、デジタル無線基地局１からの特定パターンデータを受信したときにその受信信号からＢＥＲ値算出を行うＢＥＲ値算出部１７と、この算出結果をデジタル無線基地局１へ送信する送信部１８とを備え、一方、デジタル無線基地局１には、デジタル携帯無線機１３からのＢＥＲ値算出結果を受信したときこれを格納するメモリ部９と、ＢＥＲ値取得完了信号によってメモリ部９に格納したＢＥＲ値を取り出して最適遅延時間を算出すると共に、この算出した最適遅延時間を遅延装置３に設定する最適遅延値算出部１０を設けた。【選択図】図１
2010028420.tif 000002
【特許請求の範囲】
【請求項１】
遅延時間を設定した遅延装置を介して送信信号を空間から輻射する第一送信部と、前記遅延装置を通さずに送信信号を有線伝送路へ送信する第二送信部とを備えたデジタル無線基地局と、このデジタル無線基地局からの特定パターンデータを受信可能なデジタル携帯無線機とを有して構成したデジタル無線システムにおいて、前記デジタル携帯無線機に、前記信号遅延装置付デジタル無線基地局からの特定パターンデータを受信したときこの受信信号からＢＥＲ値を算出するＢＥＲ値算出部と、このＢＥＲ値算出部により算出したＢＥＲ値を前記デジタル無線基地局へ送信する送信部とを備え、前記デジタル無線基地局には、前記デジタル携帯無線機からのＢＥＲ値を受信したときこれを格納するメモリ部とを設けたことを特徴とするデジタル無線システム。
【発明の詳細な説明】
【技術分野】
【０００１】
本発明は、最適な遅延時間を設定可能な遅延装置を有して構成したデジタル無線基地局を用いたデジタル無線システムに関する。
【背景技術】
【０００２】
従来のデジタル無線システムにおけるデジタル無線基地局は、図４に示したように送信信号を作成する送信ベースバンド部２と、この送信ベースバンド部２で作成した後に分離した一方の送信信号に最適遅延時間を与える遅延装置３と、この遅延装置３で遅延した信号を変換処理するＲＦ部４と、これを無線送信するための送信アンテナ５と、分離した他方の送信信号を変換して光中継装置などの有線伝送路に送信するＲＦ部６とから構成した送信部１２を有している。このような送信部１２は、送信信号を空間から輻射する第一送信部と、送信信号を有線伝送路へ送信する第二送信部とを形成しており、第一送信部からの送信波と、第二送信部から送信した建物内輻射波との信号遅延時間差によってマルチパス干渉が生じる。そこで、デジタル無線基地局１に遅延装置３を設け、この遅延装置３によって遅延時間を設定してマルチパス干渉を軽減するようにしている。一方、この遅延時間の設定に使用するために建物内に持ち込むデジタル携帯無線機１３は、上述したデジタル無線基地局１から受信した無線信号からＢＥＲ（Ｂｉｔ  Ｅｒｒｏｒ  Ｒａｔｅ）値を計測して表示するＢＥＲ測定器１９を取り付け、ＢＥＲ測定器１９から読み取ったＢＥＲ値を遅延時間設定に利用していた（例えば、特許文献１を参照）。
【特許文献１】特開２００５−８６３８６号公報
【発明の開示】
【発明が解決しようとする課題】
【０００３】
しかしながら、上述した従来のデジタル無線システムにおける遅延時間の設定は、図４に示したようにデジタル無線基地局１に接続した保守用ＰＣ１１を使用して遅延装置３に所定の仮遅延時間を設定した後、遅延装置３を通して既知の特定パターンデータを送信し、これを建物内に持ち込んだデジタル携帯無線機１３で受信すると共に、建物内で歩き回ってエリアを変えながら受信し、ＢＥＲ測定器１９を用いてＢＥＲ値を測定し、後に、読み取ったＢＥＲ値を持ち帰って分析し、全てのエリアでＢＥＲ値が良好となる最適の遅延時間を遅延装置３に設定する必要があった。従って、このような遅延時間設定に当たっては、先ず、デジタル無線基地局１に作業者を配置して特定パターンデータを送信し、建物内にも作業者を配置してＢＥＲ測定器１９によるＢＥＲ値測定と記録を行い、しかも建物内の各エリアを移動しながらこの測定と記録を行い、その後、建物内の作業者が測定したＢＥＲ値を持ち帰って分析しなければならず、大変面倒で長時間を要する作業となってしまう。
【０００４】
本発明の目的は、遅延装置への最適な遅延時間の設定を容易に、また短時間に行うことができるようにしたデジタル無線システムを提供することにある。
【課題を解決するための手段】
【０００５】
本発明は上記目的を達成するために、遅延時間を設定した遅延装置を介して送信信号を空間から輻射する第一送信部と、前記遅延装置を通さずに送信信号を有線伝送路へ送信する第二送信部とを備えたデジタル無線基地局と、このデジタル無線基地局からの特定パターンデータを受信可能なデジタル携帯無線機とを有して構成したデジタル無線システムにおいて、前記デジタル携帯無線機に、前記信号遅延装置付デジタル無線基地局からの特定パターンデータを受信したときこの受信信号からＢＥＲ値を算出するＢＥＲ値算出部と、このＢＥＲ値算出部により算出したＢＥＲ値を前記デジタル無線基地局へ送信する送信部とを備え、前記デジタル無線基地局には、前記デジタル携帯無線機からのＢＥＲ値を受信したときこれを格納するメモリ部とを設けたことを特徴とする。
【発明の効果】
【０００６】
本発明のデジタル無線システムによれば、簡単に建物内の所定ポイントにデジタル携帯無線機を配置し、しかも配置後は、特定パターンデータを受信したときにＢＥＲ値算出部でその受信信号からＢＥＲ値の算出を行い、かつ、この算出結果を送信部から信号遅延装置付デジタル無線基地局へ自動で送信することができるので、ＢＥＲ値の測定を簡単に行うことができる。一方、デジタル携帯無線機に特定パターンデータを送信するデジタル無線基地局には、デジタル携帯無線機からのＢＥＲ値測定結果を受信して格納するメモリ部を設けたため、デジタル携帯無線機の設置後は建物内の作業者と複雑な連携を採ることなく、必要なＢＥＲ値を簡単に取得することができる。
【発明を実施するための最良の形態】
【０００７】
以下、本発明の実施の形態を図面に基づいて説明する。
図１は、本発明の一実施の形態によるデジタル無線システムを示すブロック構成図である。
デジタル無線基地局１は、送信信号を作成する送信ベースバンド部２と、この送信ベースバンド部２で作成した後に分離した一方の送信信号にマルチパス干渉を軽減するための最適遅延時間を与える遅延装置３と、この遅延した信号を分離した後に変換処理するＲＦ部４と、これを無線送信するための送信アンテナ５と、分離した他方の送信信号を変換処理して有線伝送路の光中継装置や同軸ケーブルなどに送信するＲＦ部６と、後述するデジタル携帯無線機からの信号を受信アンテナ７を通して受信する受信部８と、この受信部８で受信した受信信号中のＢＥＲ値を格納するメモリ部９と、ＢＥＲ値取得完了信号が与えられたときメモリ部９に格納したＢＥＲ値を取り出して最適遅延時間を算出すると共に、この最適遅延時間を遅延装置３に設定する最適遅延値算出部１０とを有している。
【０００８】
上述したデジタル無線基地局１は、送信ベースバンド部２と、遅延装置３と、ＲＦ部４，６とから構成した送信部１２を有しており、この送信部１２は、送信ベースバンド部２で作成した送信データを分離した後の一方を遅延装置３で遅延してＲＦ部４を通して送信アンテナ５から送信する第一送信部と、送信データの分離した他方を直接にＲＦ部６から有線伝送路の光中継装置または同軸ケーブルに送信する第二送信部とを構成している。この第一送信部を通して空中線から輻射される送信波と、後者の第二送信部を介しての建物内輻射波との到達時間差によってマルチパス干渉が生じるが、遅延装置３で最適遅延時間を設定することによってマルチパス干渉を軽減することができる。
【０００９】
このデジタル無線基地局１には保守用ＰＣ１１が接続されており、この保守用ＰＣ１１は、詳細を後述する最適遅延時間設定プログラムを起動したときの操作により、遅延装置３に対して仮遅延時間を設定したり、送信ベースバンド部２を通して既知の特定パターンデータをデジタル携帯無線機に無線送信したり、最適遅延値算出部１０にＢＥＲ値取得完了信号を与えたりできるように構成している。
【００１０】
一方、デジタル携帯無線機１３は、送受信アンテナ１４と、送受信切り替えスイッチ１５と、デジタル無線基地局１から送信された特定パターンデータを受信する受信部１６と、この受信部１６で特定パターンデータを受信したときその受信データから誤りビット数をカウントしてＢＥＲ値を算出するＢＥＲ値算出部１７と、このＢＥＲ値算出部１７で算出した後に送受信切り替えスイッチ１５を送信側に切り替えてＢＥＲ値を信号遅延装置付デジタル無線基地局１へ送信する送信部１８とを有して構成している。
【００１１】
次に、上述したマルチパス干渉を軽減するための最適遅延時間の設定手順について、図２および図３に示したフローチャートを用いて説明する。
デジタル無線基地局１では、保守用ＰＣ１１で最適遅延時間設定プログラムを起動し、図２に示した各種処理を行う。一方、デジタル携帯無線機１３では、図３に示した最適遅延時間設定プログラムが作動されて各種処理を行う。
【００１２】
先ず、これらの最適遅延時間設定プログラムによる処理に先立って、ＢＥＲ値算出を行う特定の建物内に予め複数のポイントを定め、このポイント数に合わせた台数のデジタル携帯無線機１３を準備し、建物内に設定した各ポイントにそれぞれのデジタル携帯無線機１３を設置する。その後、デジタル無線基地局１では最適遅延時間設定プログラムを起動し、図２のフローチャートに示した手順に従って最適遅延時間の設定作業を行う。ステップＳ１では保守用ＰＣ１１を使用して遅延装置３に仮遅延時間を設定し、ステップＳ２で送信部１２を通して送信アンテナ５から既知の特定パターンデータをデジタル携帯無線機１３に対して無線送信する。その後、デジタル無線基地局１は、ステップＳ３に進み、デジタル携帯無線機１３からの受信待ち状態となる。
【００１３】
このときデジタル携帯無線機１３では、携帯側の最適遅延時間設定プログラムが作動すると、ステップＳ９では受信アンテナ１４を通して受信部１６がデジタル無線基地局１からの特定パターンデータを受信したかどうかを監視している。ステップＳ９で受信部１６が特定パターンデータを受信したことを検出すると、ＢＥＲ値算出部１７が作動する。このＢＥＲ値算出部１７は、ステップＳ１０で受信データから誤りビット数をカウントしてＢＥＲ値を算出する。続いて、デジタル携帯無線機１３は、ステップＳ１１で送受信切り替えスイッチ１５を送信側に切り替えて、算出したＢＥＲ値データを送信部１８を介して送受信アンテナ１４からデジタル無線基地局１へ送信する。
【００１４】
上述したようにデジタル無線基地局１は、ステップＳ３でデジタル携帯無線機１３からのＢＥＲ値データの受信を監視しており、この受信を検出したとき、ステップＳ４で受信アンテナ７から受信部８を通して受けたＢＥＲ値を、送信元のデジタル携帯無線機１３の識別コードなどと共にメモリ部９へ格納する。
【００１５】
続いてデジタル無線基地局１では、ステップＳ５でＢＥＲ値の取得が所定回数に達したかどうかを判定し、まだ所定回数に達していない場合、ステップＳ１に戻って保守用ＰＣ１１を使用して遅延装置３に他の仮遅延時間を変更設定し、再度、ステップＳ１からステップＳ４までの処理を繰り返す。
【００１６】
しかし、ステップＳ５の処理でＢＥＲ値の取得が予め設定した所定回数に達したと判定された場合、ステップＳ６でＢＥＲ値取得完了信号を最適遅延値算出部１０に与える。すると最適遅延値算出部１０は、ステップ７で予め登録した最適遅延値算出処理プログラムに従ってメモリ９に格納した全てのＢＥＲ値を取り出し、これを用いて全てのデジタル携帯無線機１３が良好に受信可能な最適遅延時間を算出し、ステップＳ８でこれを遅延装置３の最適な遅延時間として設定する。この設定登録後の遅延装置３は、送信ベースバンド部２で作成した送信データをＲＦ部４を通して送信アンテナ５から行う場合、この設定登録したこの最適遅延時間を用いるため、実測に基づいてマルチパス干渉をふさわしく軽減することができるようになる。
【００１７】
一方、デジタル携帯無線機１３では、ステップＳ１１で算出したＢＥＲ値の送信後、ステップＳ１２で上述したＢＥＲ値の取得回数が所定回数に達したかどうか、あるいはそれに類する状態などからＢＥＲ値取得処理が完了したかどうかを監視する。その結果、完了と判定された場合、ステップＳ１３で各部をリセットして処理作業を終了し、一方、完了になっていない場合は、ステップＳ１３で送受信切り替えスイッチ１５を受信側に切り替えてステップＳ９に戻る。
【００１８】
上述したデジタル無線システムにおける最適遅延時間の設定処理では、デジタル無線基地局１からの特定パターンデータを受信したときにＢＥＲ値算出を行うＢＥＲ値算出部１７と、この算出結果をデジタル無線基地局１へ送信する送信部１８とを備えたデジタル携帯無線機１３を使用しているため、デジタル無線基地局１からの特定パターンデータを受信した後は、自動的にＢＥＲ値算出部１７および送信部１８とによってＢＥＲ値の算出およびデジタル無線基地局１への送信を行うことができるので、ＢＥＲ値取得処理が簡単で、正確かつ短時間に行うことができるようになる。
【００１９】
また、上述したようにデジタル携帯無線機１３を構成することによって、ＢＥＲ値測定を行うために予め建物内に設定した複数のポイントにそれぞれデジタル携帯無線機１３を配置して置くことが可能となる。従って、従来のようにＢＥＲ値測定器１９を取り付けた一台のデジタル携帯無線機を建物内に持ち込んで、移動しながら所定ポイントでＢＥＲ値を測定する必要はなく、誰でも建物内の所定の位置にデジタル携帯無線機１３を配置することができ、しかも、配置後は自動でＢＥＲ値取得を行うことができるので、作業が簡単になり、作業者の負担を軽減することができる。特に、同位置でのＢＥＲ値測定を複数回行う場合には、デジタル携帯無線機１３を移動することなく、これを短時間で行うことができる。
【００２０】
一方、デジタル携帯無線機１３に特定パターンデータを送信するデジタル無線基地局１には、デジタル携帯無線機１３からのＢＥＲ値算出結果を受信したとき、これを格納するメモリ部９を設けたため、デジタル携帯無線機１３の設置後は建物内の作業者と複雑な連携をとることなく、最適遅延時間設定のために必要なＢＥＲ値を簡単に取得して記憶することができる。
【００２１】
しかも、上述した実施の形態におけるデジタル無線基地局１には、ＢＥＲ値取得完了信号によってメモリ部９に格納したＢＥＲ値を取り出して最適遅延時間を算出すると共に、この算出した最適遅延時間を遅延装置３に設定する最適遅延値算出部１０を設けているため、特定パターンデータを送信した後、上述した最適遅延時間の設定までを自動的に行うことができるので、最適遅延時間の設定作業が簡単になり、また大幅な時間短縮が可能となる。しかも、従来のように建物内での作業を行った作業者がＢＥＲ測定値を持ち帰るまで待つことなく、最適遅延時間の算出を開始することができるので、最適遅延時間の設定処理時間を短縮することができる。
【００２２】
しかし、本発明の他の実施の形態のデジタル無線システムにおける最適遅延時間の設定処理では、一台あるいは複数台のデジタル携帯無線機１３を使用し、それらを他の設置ポイントへと移動させながらＢＥＲ値の算出を行うなど、他の使用形態を適用することもできる。この場合、デジタル携帯無線機１３の移動のために人手を必要とするが、従来のように移動しながら所定箇所のＢＥＲ値を測定して記録するという面倒な作業は必要でなくなり、誰でも建物内の所定の位置にデジタル携帯無線機１３を配置することができ、しかも、配置後はＢＥＲ値算出部１７と送信部１８とによって自動でＢＥＲ値の算出およびデジタル無線基地局１への送信を簡単に行うことができるという同様の効果を得ることができる。
【００２３】
また、本発明の他の実施の形態のデジタル無線システムにおけるデジタル無線基地局１では、最適遅延値算出部１０を省略して構成し、メモリ部９に各ＢＥＲ値を格納した後に、保守用ＰＣ１１からメモリ部９に格納された各ＢＥＲ値を取り出し、保守用ＰＣ１１の表示部にこれを表示させながら作業者によって最適遅延時間を算出し、その後、作業者が算出した最適遅延時間を遅延装置３に設定する作業を行うことも可能である。この場合も、デジタル携帯無線機１３から各ＢＥＲ値を取得してメモリ部９に格納するまでの作業を自動で短時間に行うことができるようになり、各ＢＥＲ値取得において同様の効果を得ることができる。
【産業上の利用可能性】
【００２４】
本発明によるデジタル無線システムは、図１に示したデジタル無線基地局１およびデジタル携帯無線機１３以外の他の構成のものにも適用することができる。
【図面の簡単な説明】
【００２５】
【図１】本発明の一実施の形態によるデジタル無線システムにおけるデジタル無線基地局およびデジタル携帯無線機を示すブロック構成図である。
【図２】図１に示したデジタル無線基地局における最適遅延時間の設定手順を示すフローチャートである。
【図３】図１に示したデジタル携帯無線機における最適遅延時間の設定手順を示すフローチャートである。
【図４】従来のデジタル無線システムにおけるデジタル無線基地局およびデジタル携帯無線機を示すブロック構成図である。
【符号の説明】
【００２６】
１    デジタル無線基地局
２    送信ベースバンド部
３    遅延装置
４    ＲＦ部
５    送信アンテナ
６    ＲＦ部
７    受信アンテナ
８    受信部
９    メモリ部
１０    最適遅延値算出部
１１    保守用ＰＣ
１３    デジタル携帯無線機
１４    送受信アンテナ
１５    送受信切り替えスイッチ
１６    受信部
１７    ＢＥＲ値算出部
１８    送信部
【図１】
2010028420.tif 000003
【図２】
2010028420.tif 000004
【図３】
2010028420.tif 000005
【図４】
2010028420.tif 000006